(57)【要約】【課題】載せられた紙束が落下するのを抑制【解決手段】結束用具１は底面板１１を備え、底面板１１は第１，２積載面と連結部とを備える。第１積載面は、第１辺長を有する第１辺と、第１辺と直交し第２辺長を有する第２辺とを有する形状である。第２積載面は、第１辺と、第２辺と、第２辺と直交し第１辺長を有する第３辺と、第１辺と直交し第２辺長を有する第４辺とを有する四角形に対して、第３，４辺の交点である中心点を中心として点対称となる領域の内部に形成される。連結部は第１，２連結領域の内部に形成される。第１連結領域は、中心点と、第２，３辺の交点と、第１，４辺の交点に対して中心点を中心として点対称となる点とを頂点とする三角形の領域である。第２連結領域は、中心点と、第１，４辺の交点と、第２，３辺の交点に対して中心点を中心として点対称となる点とを頂点とする三角形の領域である。【選択図】図１
2016108015.tif 000002
【特許請求の範囲】
【請求項１】
紙束を積載可能な紙束積載部を備え、前記紙束積載部に積載された前記紙束を紐で十文字に結束するために用いられる結束用具であって、
前記紙束積載部は、前記紙束が積載される第１積載面および第２積載面と、前記第１積載面と前記第２積載面とを連結する連結部とを備え、
前記第１積載面は、
予め設定された第１辺長を有する第１辺と、
前記第１辺と垂直に交わるとともに、予め設定された第２辺長を有する第２辺とを有する形状に形成され、
前記第２積載面は、
前記第１辺と、前記第２辺と、前記第２辺と垂直に交わるとともに前記第１辺長を有する第３辺と、前記第１辺と垂直に交わるとともに前記第２辺長を有する第４辺とを有する四角形に対して、前記第３辺と前記第４辺との交点である中心点を中心として点対称となる領域の内部に形成され、
前記連結部は、
前記中心点と、前記第２辺と前記第３辺との交点と、前記第１辺と前記第４辺との交点に対して前記中心点を中心として点対称となる点とを頂点とする三角形の領域を第１連結領域とし、
前記中心点と、前記第１辺と前記第４辺との交点と、前記第２辺と前記第３辺との交点に対して前記中心点を中心として点対称となる点とを頂点とする三角形の領域を第２連結領域として、
前記第１連結領域および前記第２連結領域の少なくとも一方の内部に形成される
ことを特徴とする結束用具。
【発明の詳細な説明】
【技術分野】
【０００１】
本発明は、紙束を紐で十文字に結束するために用いられる結束用具に関する。
【背景技術】
【０００２】
新聞および雑誌などが積み重ねられた紙束を紐で十文字に結束し易くする結束用具として、従来、直方体状または立方体状の紙束の下面の４分の１程度の面積を有する底面板を有するものが知られている（例えば、特許文献１参照）。
【０００３】
これにより、上記紙束を底面板に載せた状態で上記紙束を十文字に結束することができるため、上記紙束の下面に紐を掛け渡すときに上記紙束を持ち上げる必要がなくなり、紙束を十文字に結束する作業の負荷が軽減される。
【先行技術文献】
【特許文献】
【０００４】
【特許文献１】特開２０１３−２３７４５９号公報
【発明の概要】
【発明が解決しようとする課題】
【０００５】
しかし、特許文献１に記載の結束用具では、底面板の面積が、紙束の下面の４分の１程度の大きさであるため、底面板に載せた紙束を底面板が支えきれずに、紙束が底面板から落下し易くなってしまうという問題があった。
【０００６】
本発明は、こうした問題に鑑みてなされたものであり、紙束を十文字に結束することができるとともに、載せられた紙束が落下するのを抑制することができる結束用具を提供することを目的とする。
【課題を解決するための手段】
【０００７】
上記目的を達成するためになされた請求項１に記載の発明は、紙束を積載可能な紙束積載部を備え、紙束積載部に積載された紙束を紐で十文字に結束するために用いられる結束用具であって、紙束積載部は、紙束が積載される第１積載面および第２積載面と、第１積載面と第２積載面とを連結する連結部とを備える。
【０００８】
第１積載面は、予め設定された第１辺長を有する第１辺と、第１辺と垂直に交わるとともに、予め設定された第２辺長を有する第２辺とを有する形状に形成される。
第２積載面は、第１辺と、第２辺と、第２辺と垂直に交わるとともに第１辺長を有する第３辺と、第１辺と垂直に交わるとともに第２辺長を有する第４辺とを有する四角形に対して、第３辺と第４辺との交点である中心点を中心として点対称となる領域の内部に形成される。
【０００９】
連結部は、第１連結領域および第２連結領域の少なくとも一方の内部に形成される。第１連結領域は、中心点と、第２辺と第３辺との交点と、第１辺と第４辺との交点に対して中心点を中心として点対称となる点とを頂点とする三角形の領域である。第２連結領域は、中心点と、第１辺と第４辺との交点と、第２辺と第３辺との交点に対して中心点を中心として点対称となる点とを頂点とする三角形の領域である。
【００１０】
このように構成された結束用具では、直方体状または立方体状の紙束の隅部と、第１辺と第２辺との交点とが一致するようにして、紙束を第１積載面の上に載せることができる。このようにして紙束を第１積載面の上に載せることによって、上記の中心点（すなわち、第３辺と第４辺との交点）で紐が交差する十文字に紙束を結束することができる。以下、紐が十文字に交差している部分を紐交差部という。
【００１１】
なお、上記の中心点で紐が交差するように紙束が紐で十文字に結束されている状態では、十文字状の紐において第１辺と平行となる部分の長さは第１辺長であり、十文字状の紐において第２辺と平行となる部分の長さは第２辺長である。
【００１２】
そして、紙束を第１積載面の上に載せたときには、紙束は第２積載面の上にも載せられる。このため、第１積載面の面積が紙束の下面の４分の１程度の大きさであっても、紙束が底面板から落下するのを抑制することができる。
【００１３】
さらに、第１辺と第２辺との交点に対して上記の中心点を中心として点対称となる点（以下、最遠点という）に紐交差部が向かうように紙束を移動させることにより、少なくとも紐交差部が最遠点に到達した時点で、紐で十文字に結束された紙束を結束用具から取り出すことができる。
【００１４】
これは、第２積載面の面積が第１積載面の面積以下であるため、紐交差部が最遠点に到達した時点で、十文字状の紐と紙束との間に第２積載面が存在しない状態とすることができるためである。
【００１５】
また連結部は、第１連結領域および第２連結領域の少なくとも一方の内部に形成されている。これにより、最遠点に紐交差部が向かうように紙束を移動させている途中で、十文字状の紐が連結部と引っ掛からないようにすることができる。これは、最遠点に紐交差部が向かうように紙束を移動させているときに、十文字状の紐において紙束の角部で紐が屈曲している屈曲部の移動経路上に第１連結領域および第２連結領域が存在しないためである。
【００１６】
以上より、請求項１に記載の結束用具は、紙束を十文字に結束することができるとともに、載せられた紙束が落下するのを抑制することができる。
【図面の簡単な説明】
【００１７】
【図１】結束用具１を上方から見たときの斜視図である。
【図２】結束用具１を下方から見たときの斜視図である。
【図３】積載された紙束を紐で十文字に結束する手順を示す図である。
【図４】紐で十文字に結束された紙束を結束用具１から取り出す第１手順を示す結束用具１の斜視図である。
【図５】紐で十文字に結束された紙束を結束用具１から取り出す第２手順を示す結束用具１の斜視図である。
【図６】紐で十文字に結束された紙束を結束用具１から取り出す第３手順を示す結束用具１の斜視図である。
【図７】紐で十文字に結束された紙束を結束用具１から取り出す第４手順を示す結束用具１の斜視図である。
【図８】底面板１１の平面図である。
【発明を実施するための形態】
【００１８】
以下に本発明の実施形態について図面とともに説明する。
結束用具１は、積載された紙束（新聞および雑誌など）を紐で十文字に結束するために用いられる。
【００１９】
結束用具１は、図１と図２に示すように、紙を積み重ねる紙積台２と、紙積台２を支持する支持台３とを備えている。
これらのうち紙積台２は、底面板１１と、側面板１２，１３と、上面板１４と、支持板１５とを備えている。
【００２０】
底面板１１は、紙を積載するための底面を構成する板状部材であり、本体積載部２１と、拡張積載部２２とを有する。
本体積載部２１は、新聞を４つ折りにした時のサイズの４分の１程度となるように矩形状に形成された板状部材である。新聞を４つ折りにした時の長辺および短辺の長さをそれぞれＬ１およびＬ２とすると、本体積載部２１の長辺および短辺の長さは、それぞれ（Ｌ１／２）程度および（Ｌ２／２）程度となる。
【００２１】
本体積載部２１の矩形を構成する４つの辺２１１，２１２，２１３，２１４のうち、辺２１１，２１３が長辺であり、辺２１２，２１４が短辺である。そして、辺２１１は側面板１２に固定され、辺２１２は側面板１３に固定される。
【００２２】
拡張積載部２２は、本体積載部２１から延びるように形成された板状部材であり、４つの辺２２１，２２２，２２３，２２４を有する。
辺２２１は、本体積載部２１の辺２１３上の接続点Ｐ１を始点として、辺２１１，２１２から離れる方向に向かって直線状に延びている。なお、辺２２１と辺２１３が成す角θ１は鈍角である。
【００２３】
辺２２２は、本体積載部２１の辺２１４上の接続点Ｐ２を始点として、辺２１１，２１２から離れる方向に向かって直線状に延びている。なお、辺２２２と辺２１４が成す角θ２は鈍角である。
【００２４】
辺２２３は、辺２２１の終点Ｐ３を始点として、本体積載部２１の辺２１１と平行となるようにして本体積載部２１の辺２１２から離れる方向に向かって直線状に延びている。なお、辺２１１と辺２２３との間の間隔は、新聞を４つ折りにした時の短辺の長さＬ２より短くなるように設定されている。
【００２５】
辺２２４は、辺２２２の終点Ｐ４を始点として、本体積載部２１の辺２１２と平行となるようにして本体積載部２１の辺２１１から離れる方向に向かって直線状に延びている。なお、辺２１２と辺２２４との間の間隔は、新聞を４つ折りにした時の長辺の長さＬ１より短くなるように設定されている。
【００２６】
側面板１２は、矩形状の板部材である。側面板１２の矩形を構成する短辺の長さは、底面板１１の辺２１１の長さとほぼ一致している。
側面板１２は、側面板１２の短辺と底面板１１の辺２１１とが平行になるようにして、側面板１２の面上で底面板１１の辺２１１と連結される。なお、側面板１２と底面板１１とが固定される箇所は、側面板１２の２つの短辺から離れた位置である。
【００２７】
側面板１３は、矩形状の板部材である。側面板１３の矩形を構成する短辺の長さは、底面板１１の辺２１２の長さとほぼ一致している。
側面板１３は、側面板１３の短辺と底面板１１の辺２１２とが平行になるようにして、側面板１３の面上で底面板１１の辺２１２と連結される。なお、側面板１３と底面板１１とが固定される箇所は、側面板１３の２つの短辺から離れた位置である。
【００２８】
上面板１４は、本体積載部２１とほぼ同じ矩形状の板部材である。上面板１４は、側面板１２の短辺と側面板１３の短辺に連結されて、本体積載部２１と対向するように配置される。
【００２９】
支持板１５は、矩形状の板部材である（図２を参照）。支持板１５は、支持台３と底面板１１との間に配置され、底面板１１を支持する。
支持板１５の矩形を構成する４つの辺のうち、第１の辺は支持台３に連結され、第１の辺と対向する第２の辺は底面板１１に連結され、第１の辺と第２の辺に直交する第３の辺は側面板１２に連結される。なお、第４の辺は、連結される部材が存在しない状態である。
【００３０】
そして、第１の辺と第２の辺の長さは、本体積載部２１の短辺２１２，２１４の長さとほぼ一致している。すなわち、支持板１５は、側面板１２から垂直に、本体積載部２１の短辺の長さだけ突出するように設けられている。
【００３１】
支持台３は、矩形状の板部材であり、その表面に側面板１２，１３の短辺が連結されることにより、紙積台２を支持する。
このように構成された結束用具１を用いて、積載された紙束を紐で十文字に結束する手順を図３を用いて説明する。なお図３は、結束用具１を上方から見た斜視図である。
【００３２】
紙束を紐で十文字に結束する作業を行う作業者は、まず図３（ａ）に示すように、紐で十文字に結束したい分量の紙束ＰＢを、紙積台２の底面板１１に載せる。
なお以下、紙積台２に載置された紙束ＰＢにおいて、底面板１１と接している面を下面ＰＬ１、下面ＰＬ１と対向する面を上面ＰＬ２、側面板１２と接している面を左面ＰＬ３、左面ＰＬ３と対向する面を右面ＰＬ４、側面板１３と接している面を背面ＰＬ５、背面ＰＬ５と対向する面を正面ＰＬ６という。
【００３３】
そして図３（ｂ）に示すように、作業者は、まず、紐Ｓの両端を両手で把持して、左面ＰＬ３から右面ＰＬ４へ向かう方向に沿って下面ＰＬ１上に紐Ｓを掛け渡す。このとき紐Ｓは、背面ＰＬ５から正面ＰＬ６に向かう方向に沿って下面ＰＬ１を二等分するように配置される。さらに作業者は、下面ＰＬ１から上面ＰＬ２へ向かう方向に沿って右面ＰＬ４上に紐Ｓを掛け渡す（矢印ＡＬ１を参照）。このとき紐Ｓは、背面ＰＬ５から正面ＰＬ６に向かう方向に沿って右面ＰＬ４を二等分するように配置される。
【００３４】
次に図３（ｃ）に示すように、作業者は、右面ＰＬ４上に掛け渡されている紐Ｓを更に上面ＰＬ２、左面ＰＬ３および下面ＰＬ１上に掛け渡すことにより、紙束ＰＢの周りで紐Ｓを一周させる（矢印ＡＬ２を参照）。
【００３５】
次に図３（ｄ）に示すように、作業者は、紐Ｓの一端側を、下面ＰＬ１側で背面ＰＬ５へ向かう方向へ移動させる（矢印ＡＬ３を参照）とともに、紐Ｓの他端側を、下面ＰＬ１側で正面ＰＬ６へ向かう方向へ移動させる（矢印ＡＬ４を参照）。これにより、紐Ｓにおいて一端側に位置する部分Ｓ１（以下、第１紐部Ｓ１という）と、紐Ｓにおいて他端側に位置する部分Ｓ２（以下、第２紐部Ｓ２という）とが下面ＰＬ１の中央部で屈曲して十文字状に交差した状態となる（図４を参照）。このため、第１紐部Ｓ１は、下面ＰＬ１の中央部から背面ＰＬ５に向かう方向に沿って下面ＰＬ１上に掛け渡される。また第２紐部Ｓ２は、下面ＰＬ１の中央部から正面ＰＬ６に向かう方向に沿って下面ＰＬ１上に掛け渡される。
【００３６】
次に図３（ｅ）に示すように、作業者は、第１紐部Ｓ１を、下面ＰＬ１から上面ＰＬ２へ向かう方向に沿って背面ＰＬ５上に掛け渡し、さらに、第２紐部Ｓ２を、下面ＰＬ１から上面ＰＬ２へ向かう方向に沿って正面ＰＬ６上に掛け渡す。このとき紐Ｓは、左面ＰＬ３から右面ＰＬ４に向かう方向に沿って背面ＰＬ５および正面ＰＬ６をそれぞれ二等分するように配置される。さらに作業者は、第１紐部Ｓ１を、背面ＰＬ５から正面ＰＬ６に向かう方向に沿って上面ＰＬ２上に掛け渡すとともに、第２紐部Ｓ２を、正面ＰＬ６から背面ＰＬ５に向かう方向に沿って上面ＰＬ２上に掛け渡す。そして、紐Ｓの一端と他端とを互いに結ぶことにより、紙束ＰＢが紐Ｓで十文字に結束される。
【００３７】
次に、紐で十文字に結束された紙束を結束用具１から取り出す手順を図４〜図７を用いて説明する。
まず図４に示すように、紐Ｓと紙束ＰＢとの間に底面板１１を挟んだ状態で、紐Ｓの第１紐部Ｓ１と第２紐部Ｓ２とが、紙束ＰＢの下面ＰＬ１の中央部Ｍで屈曲して十文字状に交差した状態となっている。
【００３８】
そして図５と図６に示すように、作業者は、紙束ＰＢの下面ＰＬ１において第１紐部Ｓ１と第２紐部Ｓ２とが交差する紐交差部ＣＰ１が、底面板１１において辺２２３と辺２２４とが交差する辺交差部ＣＰ２へ向かう方向Ｄ１（図５を参照）へ紙束ＰＢを移動させる。なお図６は、図５よりも紐交差部ＣＰ１が辺交差部ＣＰ２に近付いている状態を示している。
【００３９】
その後、図７に示すように、作業者は、紐交差部ＣＰ１が辺交差部ＣＰ２を通過するように紙束ＰＢを移動させる。これにより、紐Ｓと紙束ＰＢとの間に底面板１１が挟まれている状態が解除されて、紐で十文字に結束された紙束を結束用具１から取り出すことができる。
【００４０】
このように結束用具１は、紙束を積載可能な底面板１１を備え、底面板１１に積載された紙束を紐で十文字に結束するために用いられる。
底面板１１は、図８に示すように、第１積載面１１０および第２積載面１２０と、第１積載面１１０と第２積載面１２０とを連結する連結部１３０とを備える。
【００４１】
第１積載面１１０は、予め設定された第１辺長Ｌｅ１を有する第１辺１１１と、第１辺と垂直に交わるとともに予め設定された第２辺長Ｌｅ２を有する第２辺１１２とを有する形状に形成される。
【００４２】
第２積載面１２０は、第１辺１１１と、第２辺１１２と、第２辺１１２と垂直に交わるとともに第１辺長Ｌｅ１を有する第３辺１１３と、第１辺１１１と垂直に交わるとともに第２辺長Ｌｅ２を有する第４辺１１４とを有する四角形の第１積載面１１０に対して、第３辺１１３と第４辺１１４との交点である中心点ＭＰを中心として点対称となる領域Ｒｓの内部に形成される。
【００４３】
連結部１３０は、第１連結領域Ｒｃ１および第２連結領域Ｒｃ２の内部に形成される。第１連結領域Ｒｃ１は、中心点ＭＰと、第２辺１１２と第３辺１１３との交点１１６と、第１辺１１１と第４辺１１４との交点１１７に対して中心点ＭＰを中心として点対称となる点１２６とを頂点とする三角形の領域である。第２連結領域Ｒｃ２は、中心点ＭＰと、第１辺１１１と第４辺１１４との交点１１７と、第２辺１１２と第３辺１１３との交点１１６に対して中心点ＭＰを中心として点対称となる点１２７とを頂点とする三角形の領域である。
【００４４】
このように構成された結束用具１では、直方体状または立方体状の紙束の隅部と、第１辺１１１と第２辺１１２との交点とが一致するようにして、紙束を第１積載面１１０の上に載せることができる。このようにして紙束を第１積載面１１０の上に載せることによって、中心点ＭＰで紐が交差する十文字に紙束を結束することができる。
【００４５】
なお、中心点ＭＰで紐が交差するように紙束が紐で十文字に結束されている状態では、十文字状の紐において第１辺１１１と平行となる部分の長さは第１辺長Ｌｅ１であり、十文字状の紐において第２辺１１２と平行となる部分の長さは第２辺長Ｌｅ２である。
【００４６】
そして、紙束を第１積載面１１０の上に載せたときには、紙束は第２積載面１２０の上にも載せられる。このため、第１積載面１１０の面積が紙束の下面の４分の１程度の大きさであっても、紙束が底面板１１から落下するのを抑制することができる。
【００４７】
さらに、第１辺１１１と第２辺１１２との交点に対して中心点ＭＰを中心として点対称となる点ＭＦ（以下、最遠点ＭＦという）に紐交差部ＣＰ１が向かうように紙束を移動させることにより（移動方向Ｄｍ１を参照）、少なくとも紐交差部ＣＰ１が最遠点ＭＦに到達した時点で、紐で十文字に結束された紙束を結束用具１から取り出すことができる。
【００４８】
これは、第２積載面１２０の面積が第１積載面１１０の面積以下であるため、紐交差部ＣＰ１が最遠点ＭＦに到達した時点で、十文字状の紐と紙束との間に第２積載面１２０が存在しない状態とすることができるためである。
【００４９】
また連結部１３０は、第１連結領域Ｒｃ１および第２連結領域Ｒｃ２の内部に形成されている。これにより、最遠点ＭＦに紐交差部ＣＰ１が向かうように紙束を移動させている途中で、十文字状の紐が連結部１３０と引っ掛からないようにすることができる。これは、最遠点ＭＦに紐交差部が向かうように紙束を移動させているときに、十文字状の紐において紙束の角部で紐が屈曲している屈曲部（図４の屈曲部Ｃ１，Ｃ２を参照）の移動経路上（移動方向Ｄｍ２，Ｄｍ３を参照）に第１連結領域Ｒｃ１および第２連結領域Ｒｃ２が存在しないためである。
【００５０】
以上より、結束用具１は、紙束を十文字に結束することができるとともに、載せられた紙束が落下するのを抑制することができる。
以上説明した実施形態において、底面板１１は本発明における紙束積載部、本体積載部２１は本発明における第１積載面、拡張積載部２２は本発明における第２積載面および連結部、辺２１１は本発明における第１辺、辺２１２は本発明における第２辺である。
【００５１】
以上、本発明の一実施形態について説明したが、本発明は上記実施形態に限定されるものではなく、本発明の技術的範囲に属する限り種々の形態を採ることができる。
【符号の説明】
【００５２】
１…結束用具、２…紙積台、３…支持台、１１…底面板、１２，１３…側面板、１４…上面板、１５…支持板、２１…本体積載部、２２…拡張積載部、２１１，２１２，２１３，２１４，２２１，２２２，２２３，２２４…辺
【図１】
2016108015.tif 000003
【図２】
2016108015.tif 000004
【図４】
2016108015.tif 000005
【図５】
2016108015.tif 000006
【図６】
2016108015.tif 000007
【図７】
2016108015.tif 000008
【図８】
2016108015.tif 000009
【図３】
2016108015.tif 000010